(57)【特許請求の範囲】
【請求項１】
送風手段によって室内の空気を吸込口から吸引し、加熱ヒータを含む除湿手段によって加熱して除湿した処理空気を吹出口から室内に循環供給する除湿機において、
前記送風手段による室内への送風方向を変更する風向変更手段と、
前記吹出口から室内へ供給する処理空気の温度を検出する吹出口用温度検出手段と、
予め設定された検出範囲内に位置する検出対象物の温度を検出する赤外線センサと、
前記赤外線センサによる検出位置を変更する検出位置変更手段と、
前記吹出口用温度検出手段による検出温度（Ｔｏ）と、前記送風手段による送風量に対応する係数（α）と、前記吸込口から吸引した室内の吸引空気の温度を検出する吸込口用温度検出手段による検出温度（Ｔｉ）とに基づいて、前記吹出口から送風する昇温させた処理空気により前記検出対象物に加えることが可能な温度（Ｔｎ）を計算式Ｔｎ＝Ｔｏ−（Ｔｏ−Ｔｉ）×αで演算して推定する温度推定手段と、
前記風向変更手段により処理空気の送風方向を変更しながら、前記温度推定手段による推定温度（Ｔｎ）と前記赤外線センサによる検出対象物の検出温度（Ｔｃ）とに基づいて検出対象物の乾燥度合いを判断する衣類乾燥モードを実行する制御手段と、
を備えたことを特徴とする除湿機。
【請求項２】
前記制御手段は、前記吸込口用温度検出手段による検出温度（Ｔｏ）を、乾燥度合いの判断条件として含むことを特徴とする請求項１に記載の除湿機。
【請求項３】
前記赤外線センサによる検出を、前記風向変更手段による送風方向と同期させて変更するようにしたことを特徴とする請求項１または請求項２に記載の除湿機。
【請求項４】
前記赤外線センサによる検出範囲内において、検出対象物が乾燥していると判断できる領域の送風変位速度を、乾燥していないと判断できる領域の送風変位速度より早くしたことを特徴とする請求項１乃至請求項３のいずれか１項に記載の除湿機。
【請求項５】
前記風向変更手段の駆動モータを、前記赤外線センサの駆動手段として兼用したことを特徴とする請求項１乃至請求項４のいずれか１項に記載の除湿機。
【発明の詳細な説明】
【技術分野】
【０００１】
本発明は、除湿機に関するものである。
【背景技術】
【０００２】
本発明の除湿機に関連する先行技術文献情報としては次のものがある。
【０００３】
【特許文献１】特開平６−１２６０９９号公報
【特許文献２】特開２００７−２４０１００号公報
【０００４】
特許文献１には、ドラムの中心を焦点とした赤外線センサにより衣類の温度を検出し、ドラム内に供給する温風との温度差から衣類の乾燥度合いを判断するようにしたドラム式の衣類乾燥機が記載されている。
【０００５】
しかし、この衣類乾燥機は、ドラムの回転により内部で衣類が攪拌されるため、シワが生じるうえ、全ての衣類の乾燥度合いを正確に判断することはできない。そのため、衣類の生地によっては乾燥（加熱）し過ぎるものや、完全には乾燥できていないものが生じる。また、完全に乾燥できていないものが存在すると、乾燥した衣類に湿気が移るという不都合がある。
【０００６】
また、特許文献２には、空気中に含まれる湿気を除湿するための除湿手段を備え、送風手段によって室内空気を除湿手段に吸引し、除湿された処理空気を室内に循環供給する除湿機が記載されている。そして、この特許文献２では、室内空気の温度を検出するための温度検出手段と、室内空気の湿度を検出するための湿度検出手段と、被乾燥物の温度を検出するための赤外線検出手段を配設し、温度検出手段、湿度検出手段および赤外線検出手段の検出結果に基づいて衣類の乾燥度合いを判断し、除湿手段と送風手段の出力制御を行う構成としている。
【０００７】
この特許文献２の除湿機は、ドラムのような密閉された空間ではなく、広い室内に衣類を干した状態で、乾燥を行うものであるため、特許文献１のような問題が生じることはない。
【０００８】
しかしながら、この特許文献２では、衣類の乾燥度合いの判断を赤外線検出手段による検出結果と、室内の空気の温度および湿度を検出するための温度検出手段および湿度検出手段の検出結果に基づいて判断するため、室内の環境の変化により衣類の乾燥度合いの判断に影響を受け易いという問題がある。また、実際に乾燥しているにも拘わらず、その状況を判断するまでに時間を要する。さらに、中間部分に乾燥している領域がある場合、その状況を判断するのは極めて困難である。
【発明の開示】
【発明が解決しようとする課題】
【０００９】
本発明は、従来の問題に鑑みてなされたもので、衣類の乾燥度合いを正確かつ迅速に判断し、最適な衣類乾燥制御を実行可能な除湿機を提供することを課題とするものである。
【課題を解決するための手段】
【００１０】
前記課題を解決するため、本発明の除湿機は、送風手段によって室内の空気を吸込口から吸引し、加熱ヒータを含む除湿手段によって加熱して除湿した処理空気を吹出口から室内に循環供給する除湿機において、前記送風手段による室内への送風方向を変更する風向変更手段と、前記吹出口から室内へ供給する処理空気の温度を検出する吹出口用温度検出手段と、予め設定された検出範囲内に位置する検出対象物の温度を検出する赤外線センサと、前記赤外線センサによる検出位置を変更する検出位置変更手段と、前記吹出口用温度検出手段による検出温度（Ｔｏ）と、前記送風手段による送風量に対応する係数（α）と、前記吸込口から吸引した室内の吸引空気の温度を検出する吸込口用温度検出手段による検出温度（Ｔｉ）とに基づいて、前記吹出口から送風する昇温させた処理空気により前記検出対象物に加えることが可能な温度（Ｔｎ）を計算式Ｔｎ＝Ｔｏ−（Ｔｏ−Ｔｉ）×αで演算して推定する温度推定手段と、前記風向変更手段により処理空気の送風方向を変更しながら、前記温度推定手段による推定温度（Ｔｎ）と前記赤外線センサによる検出対象物の検出温度（Ｔｃ）とに基づいて検出対象物の乾燥度合いを判断する衣類乾燥モードを実行する制御手段と、を備えた構成としている。
【００１１】
この除湿機によれば、吹出口での処理空気の温度と、送風手段による送風量および吸込口用温度検出手段による検出温度のうち少なくとも一方とに基づいて、処理空気によって検出対象物である衣類に加えることが可能な温度を演算して推定する。そして、その推定温度と赤外線センサによる検出温度とに基づいて検出対象物の乾燥度合いを判断するため、室内環境の変化に十分に対応できる。そのため、実際には乾燥しているにも拘わらず、その状況を判断できないという不都合を防止できる。
【００１２】
ここで、送風手段による送風量は、大きい（強い）場合には、十分に処理空気の熱を検出対象物に加えることができる。逆に、風量が小さい（弱い）場合には、検出対象物に十分に処理空気を当てることができない。そのため、送風手段による送風量を諸条件とすることにより、検出対象物に加えることが可能な温度を正確に推定できる。その結果、検出対象物の乾燥度合いを確実に判断できる。
【００１３】
また、吸込口での検出温度は室温と略同等であり、室温が低い場合には検出対象物まで処理空気が到達するまでに降下する温度も大きくなる。逆に、室温が高い場合には検出対象物まで処理空気が到達するまでに降下する温度は低くなる。そのため、吸込口用温度検出手段による検出温度を諸条件とすることにより、検出対象物に加えることが可能な温度を正確に推定できる。その結果、検出対象物の乾燥度合いを確実に判断できる。
【００１４】
この場合、前記制御手段は、前記吸込口用温度検出手段による検出温度（Ｔｏ）を、乾燥度合いの判断条件として含むことが好ましい。このようにすれば、検出対象物の乾燥度合いを正確に判断できる。
【００１５】
また、この除湿機では、前記赤外線センサによる検出を、前記風向変更手段による送風方向と同期させて変更することが好ましい。このようにすれば、処理空気の熱で赤外線センサによる検出温度に影響が及ぶことを抑制できる。
【００１６】
また、前記赤外線センサによる検出範囲内において、検出対象物が乾燥していると判断できる領域の送風変位速度を、乾燥していないと判断できる領域の送風変位速度より早くすることが好ましい。このようにすれば、全ての衣類を乾燥させる効率を向上できる。
【００１７】
さらに、前記風向変更手段の駆動モータを、前記赤外線センサの駆動手段として兼用することが好ましい。このようにすれば、部品点数を削減できるため、コストダウンを図ることができる。
【発明の効果】
【００１８】
本発明の除湿機では、検出対象物に到達した時点の処理空気の推定温度と赤外線センサによる検出温度とに基づいて検出対象物の乾燥度合いを判断するため、室内環境の変化に十分に対応できる。そのため、検出対象物の実際の乾燥度合いを正確かつ迅速に判断することができる。
【発明を実施するための最良の形態】
【００１９】
以下、本発明の実施の形態を図面に従って説明する。
【００２０】
図１および図２は本発明の実施形態に係る除湿機を示す。この除湿機は、図１に示すように、大略、高さ方向に長く前後方向の奥行きが左右方向の幅より薄い六面体からなるハウジング１０の内部を除湿通路１１と再生通路１２とに区画し、その内部に、除湿手段を構成する加熱ヒータ１７、除湿ロータ１９、熱交換器２１および再生空気循環ファン２２と、送風手段を構成する室内空気循環ファン２３とを水平方向に配設するとともに、下部にタンク２６を配設したものである。
【００２１】
前記ハウジング１０には、背面側に複数のスリットからなる吸込口１３が形成され、この吸込口１３の内面に図示しないフィルタが配設されている。また、ハウジング１０の正面側には、上部に吸込口１３に連通した吹出口１４が形成され、この吹出口１４に向けて空気を案内するように、インボリュート通路を構成する隔壁１５が設けられている。そして、ハウジング１０の内部には、吸込口１３の側から、熱交換器２１と、除湿ロータ１９と、加熱ヒータ１７および再生空気循環ファン２２とが正面側に向けて順次配設され、正面側の隔壁１５内に室内空気循環ファン２３が配設されている。なお、加熱ヒータ１７と再生空気循環ファン２２とは、ハウジング１０内に設けたダクト部１６内に配設され、このダクト部１６が除湿ロータ１９を介して熱交換器２１と接続される。そして、この連通したダクト部１６と熱交換器２１とで再生通路１２が構成され、他の除湿通路１１と区画される。
【００２２】
前記加熱ヒータ１７は、マイカ板に連続した１巻きのコイルを巻回したもので、図示しない電源回路からの供給電力により発熱し、供給される再生空気と近接配置された除湿ロータ１９とを加熱するものである。この加熱ヒータ１７の近傍には、該加熱ヒータ１７による加熱温度を検出する温度検出手段であるサーミスタ１８が配設されている。
【００２３】
前記除湿ロータ１９は、その約３／４の領域が除湿通路１１内に位置し、加熱ヒータ１７と対向する約１／４の領域が再生通路１２内に位置するように、両通路１１，１２に跨って回転可能に配設したものである。この除湿ロータ１９は、ゼオライトまたはシリカゲルを結合させたメッシュ状のセラミックハニカムを、樹脂製の保持部材によって保持させたものである。この除湿ロータ１９は、ロータ駆動モータ２０により予め設定された一定の回転速度で回転される。
【００２４】
前記熱交換器２１は、再生通路１２の一部を構成するもので、除湿通路１１を遮蔽するように配設される。この熱交換器２１は、真空成形または圧空成形により対称形状に形成した一対のパネルを溶着することにより、内部に再生空気を通過させる連続した通路を形成するとともに、外部に吸引空気を通過させる複数の通孔を形成した樹脂製のものである。内部の通路は、一端が除湿ロータ１９を介して加熱ヒータ１７を配設したダクト部１６の一端に接続され、他端が再生空気循環ファン２２を配設したダクト部１６の他端に接続される。
【００２５】
前記再生空気循環ファン２２および室内空気循環ファン２３はシロッコファンからなり、駆動手段である再生空気循環用モータ２４および室内空気循環用モータ２５により回転される。なお、室内空気循環用モータ２５は、予め設定された多段階の回転速度で回転可能なものを適用している。
【００２６】
前記タンク２６は、ハウジング１０の下部に着脱可能に配設される上面開口の箱体形状のもので、前記熱交換器２１内で結露した除湿水を貯留するものである。このタンク２６内には、貯水した水に浮遊するフロート（図示せず）が配設されている。そして、ハウジング１０には、タンク２６の満水を検出するための満水検出手段としてリードスイッチ２７が配設され、このリードスイッチ２７の接点を動作させる磁石がフロートに配設されている。また、ハウジング１０には、タンク２６を着脱可能に配設する配設部に、該タンク２６の装着状態および非装着状態を検出するためのタンク検出手段としてマイクロスイッチ２８が配設されている。
【００２７】
そして、本実施形態の除湿機には、図３（Ａ）〜（Ｄ）に示すように、室内空気循環ファン２３による室内への送風方向を変更可能とするために一対の可動式ルーバー２９，３１を配設するとともに、衣類乾燥モードの実行時に検出対象物である衣類の乾燥状態を検出するために可動式の赤外線センサ３３を配設している。
【００２８】
前記第１ルーバー２９は、ハウジング１０の吹出口１４を閉塞するカバーの役割を兼用するもので、第１ルーバー駆動モータ３０により回動可能に構成されている。この第１ルーバー２９は、室内空気循環ファン２３による室内への送風方向を上下（垂直方向）に変更する第１風向変更手段の役割をなすものである。この第１ルーバー駆動モータ３０は、所定角度（高度）に送風方向を位置決め可能なステッピングモータを適用している。
【００２９】
前記第２ルーバー３１は、第１ルーバー２９の下部に位置するように、隔壁１５の上部に配設した複数の板材からなるもので、リンク部材を介して第２ルーバー駆動モータ３２により同期して回動可能に構成されている。この第２ルーバー３１は、室内空気循環ファン２３による室内への送風方向を左右（水平方向）に変更する第２風向変更手段の役割をなす。
【００３０】
前記赤外線センサ３３は、出力した赤外線による熱エネルギーによって素子の温度が変化して生じる電気特性の変化を検出することにより、衣類の温度（乾燥度合い）を検出する単素子の熱型センサからなる。ここで、この赤外線センサ３３による検出原理について説明する。まず、昇温された処理空気が濡れた衣類に送風されると、その処理空気が当たった箇所の水分が蒸発することで、気化潜熱が奪われて衣類が冷えるため、表面温度は殆ど変化しない。しかし、水分の蒸発が進むと、水分がないため気化潜熱が奪われないため、処理空気が当たった箇所は、そのまま暖めされる。そのため、赤外線センサ３３によって衣類の表面温度を検出することで、衣類の乾燥状態を判断できる。
【００３１】
この赤外線センサ３３は、ハウジング１０の吹出口１４の横に位置するように、ケーシング３４内に一体的に組み込まれたユニットとして配設されている。ケーシング３４は、図４（Ａ）〜（Ｃ）に示すように、円柱の外周部の一部を平面的に切断した形状をなし、その平面部３４ａに赤外線センサ３３を露出させる開口部３５を備えている。このケーシング３４は、両側部に設けた軸部３６がハウジング１０に軸着され、この軸部３６に第１センサ駆動モータ３７を連結することにより回動可能に構成されている。これにより、このケーシング３４は、赤外線センサ３３による検出位置を上下（垂直方向）に変更する第１検出位置変更手段の役割をなす。この第１センサ駆動モータ３７は、所定角度（高度）に送風方向を位置決め可能なステッピングモータを適用している。
【００３２】
前記ケーシング３４の内部には、赤外線センサ３３および基板３８を配設した内部ケース３９が回転可能に軸着されている。この内部ケース３９は、ケーシング３４と同様に、円柱の外周部の一部を平面的に切断した形状をなし、その平面部３９ａに赤外線センサ３３が露出するように配設されている。この内部ケース３９は、一対の歯車４０Ａ，４０Ｂを介して第２センサ駆動モータ４１に連結され、該第２センサ駆動モータ４１の駆動により、赤外線センサ３３による検出位置を左右（水平方向）に変更する第２検出位置変更手段の役割をなす。
【００３３】
図３（Ａ）に示すように、ハウジング１０の上面には、ユーザが所定の動作を実行および選択するための操作パネル４２が配設されている。この操作パネル４２には、複数のスイッチ４３と、選択状態を点灯および消灯により表示するＬＥＤ４４が配設されている。
【００３４】
このように構成した除湿機は、図示しない制御基板に実装した制御手段であるマイコン４５により、予め設定したプログラムに従って各部品を制御し、通常の除湿モードまたは衣類乾燥モードで除湿動作を実行させる。なお、これらの制御は、マイクロスイッチ２８によりタンク２６の装着状態を検出し、かつ、リードスイッチ２７によりタンク２６内が満水状態でないことを検出した場合に、実行される。
【００３５】
通常の除湿モードでは、ユーザが「強」風運転を選択している場合、室内空気循環用モータ２５への通電量を大として室内空気循環ファン２３を高速で動作させ、加熱ヒータ１７は常に電力を供給して高温（強）状態で動作させる。また、ユーザが「弱」風運転を選択している場合、室内空気循環用モータ２５への通電量を小として前記室内空気循環ファン２３を低速で動作させ、加熱ヒータ１７はデューティー制御により低温（弱）状態で動作させる。また、ユーザが「自動標準」運転を選択している場合、吸込口１３の近傍に配設した湿度センサ４６の検出値に基づいて「強」風運転、「弱」風運転およびこれらの中間である「中」風運転を自動選択して動作させる。
【００３６】
また、衣類乾燥モードでは、マイコン４５は、吹出口用サーミスタ４７による検出温度Ｔｏと機内外の諸条件とに基づいて、処理空気が衣類に加えることが可能な温度Ｔｎを推定する温度推定手段の役割をなす。そして、衣類の乾燥状態に基づいて送風量（速度）を変更するとともに、ルーバー駆動モータ３０，３２により、室内への除湿した処理空気の送風方向を変更する。また、この送風方向と一定の位相角度を保つように、センサ駆動モータ３７，４１により検出位置を同期させて変更する。さらに、推定温度Ｔｎと赤外線センサ３３による衣類の検出温度Ｔｃとに基づいて衣類の乾燥度合いを判断する。そして、全ての衣類が乾燥したと判断すると、この衣類乾燥モードを終了する。
【００３７】
具体的には、推定温度Ｔｎは、吸込口用サーミスタ４８による検出温度Ｔｉ、および、室内空気循環ファン２３の送風量に対応する係数αを諸条件として、以下の計算式により推定（演算）する構成としている。
Ｔｎ＝Ｔｏ−（Ｔｏ−Ｔｉ）×α
【００３８】
即ち、吸込口１３での検出温度Ｔｉは室温と略同等であり、室温（Ｔｉ）が低い場合には衣類まで処理空気が到達するまでに降下する温度は大きくなる。逆に、室温（Ｔｉ）が高い場合には衣類まで処理空気が到達するまでに降下する温度は低くなる。そのため、吸込口１３での検出温度Ｔｉを諸条件とすることにより、衣類に加えることが可能な温度を正確に推定できる。
【００３９】
また、室内空気循環ファン２３による風量が大きい（強い）場合には、十分に処理空気の熱を衣類に加えることができる。逆に、風量が小さい（弱い）場合には、衣類に十分に処理空気を当てることができない。そのため、室内空気循環ファン２３による送風量に対応する係数αを諸条件とすることにより、衣類に加えることが可能な温度を正確に推定できる。なお、係数αは、風量が「強」風である場合には０．２、風量が「弱」風である場合には０．８に設定している。
【００４０】
さらに、衣類の乾燥判断は、推定温度Ｔｎに、吸込口用サーミスタ４８による検出温度Ｔｉ、および、衣類に処理空気を吹き付けた後に赤外線センサ３３によって検出するまでの時間に対応する係数βを判断条件として加え、赤外線センサ３３による検出温度Ｔｃと比較することにより判断する構成としている。
Ｔｃ≦Ｔｎ−（Ｔｎ−Ｔｉ）×β      （非乾燥）
Ｔｃ＞Ｔｎ−（Ｔｎ−Ｔｉ）×β      （乾燥）
【００４１】
即ち、衣類の乾燥判断において、室温（Ｔｉ）は最も重要な判断条件の１つとなるため、吸込口１３での検出温度Ｔｉを判断条件とすることにより、衣類の乾燥状態を正確に判断できる。
【００４２】
また、赤外線センサ３３による検出温度Ｔｃは、処理空気の温度に大きく影響されるため、衣類に処理空気を吹き付けた後に赤外線センサ３３によって検出するまでの時間に対応する係数βを判断条件とすることにより、衣類の乾燥状態を正確に判断できる。なお、係数βは、処理空気の吹き付け後から検出までの時間ｔが短ければ小さく、長ければ「１」に近づくように大きくなるように設定している。
【００４３】
しかも、本実施形態の衣類乾燥モードでは、センサ駆動モータ３７，４１の駆動により赤外線センサ３３で検出可能な範囲において、検出対象物が乾燥していると判断できる領域が存在すると、その領域を通過する送風変位速度（例えば０．４ｒａｄ／ｓｅｃ）を、乾燥していないと判断できる領域の送風変位速度（例えば０．１５ｒａｄ／ｓｅｃ）より早くなるように構成している。また、衣類が干されていないと判断できる領域が両側部に存在する場合には、以後はその領域を送風および検出しないように構成している。
【００４４】
次に、衣類の乾燥状態に応じたマイコン４５による制御について具体的に説明する。
【００４５】
まず、ユーザは、図５に示すように、取り扱い説明書等に記載された送風範囲および検出範囲内に位置するように衣類を干し、除湿機を設置する。そして、操作パネル４２を操作して衣類乾燥モードを実行させる。
【００４６】
そうすると、マイコン４５は、まず、第１センサ駆動モータ３７を動作させ、赤外線センサ３３による検出方向を垂直方向に移動させ、検出高さを第１高度に設定して停止する。ついで、図６および図７に示すように、第２センサ駆動モータ４１を動作させことにより、赤外線センサ３３の検出方向を水平方向に移動させ、その第１高度で衣類が干されている範囲（干されているか否かも含む）を検出する。１往復以上水平方向の検出を行うと、第２センサ駆動モータ４１を停止させ、再び垂直方向に移動させて、検出高さを第１高度より高い第２高度に変更し、水平方向に移動させて衣類が干されている範囲を検出する。これにより、図８に示すように、衣類が干されている範囲を認識でき、その認識範囲を送風範囲および検出範囲とする。
【００４７】
これにより、衣類が干されている幅方向および高さ方向の範囲を正確に認識できる。その結果、衣類が上下２段に干されている場合や、１段のみでも高度に高低差がある場合など、状況に応じて確実に全体にかけて衣類に処理空気を送風することが可能になる。
【００４８】
その後、加熱ヒータ１７および再生空気循環ファン２２を動作させるとともに、第１ルーバー駆動モータ３０を動作させ、衣類が干されている高さに送風高さを調整して停止した後、第２ルーバー駆動モータ３２を動作させ、衣類が干されている範囲のみ、処理空気を送風させるとともに、赤外線センサ３３によって衣類の温度Ｔｃを検出して、乾燥状態を判断する。
【００４９】
この際、処理空気の温度Ｔｏが高温である場合、乾燥状態の衣類でも処理空気が当たっている時と当たっていない時とで温度差が生じてしまうため、衣類乾燥判断の精度が悪くなる。また、処理空気の送風方向と衣類温度の検出方向の焦点が同一である場合、送風による衣類の揺れの影響で衣類乾燥判断の精度が悪くなる。
【００５０】
そのため、本実施形態では、図９に示すように、第２ルーバー駆動モータ３２による送風方向と一定の位相角度を保つように、第２センサ駆動モータ４１によって赤外線センサ３３の検出方向を変更する。しかも、衣類への送風範囲が赤外線センサ３３による検出範囲と重なることを確実に防止するために、送風方向の高さと、検出方向の高さを異ならせる構成としている。具体的には、衣類が干されている範囲において、処理空気の送風方向より、赤外線センサ３３による検出方向の高度が高くなるように構成している。
【００５１】
このようにして衣類の乾燥処理が進められ、推定温度Ｔｎ、吸込口１３での検出温度Ｔｉおよび係数βと、赤外線センサ３３による検出温度Ｔｃとの比較により、図１０（Ａ）に示すように、衣類が干されている範囲Ｓ１において、中間領域の所定範囲Ｓ２に干された衣類が乾燥したと判断すると、この乾燥範囲Ｓ２を通過する際の送風変位速度を、他の範囲での送風変位速度より早くする。勿論、赤外線センサ３３による検出変位速度も同期して変速される。
【００５２】
また、図１０（Ｂ）に示すように、衣類が干されている範囲Ｓ１において、端に位置する領域に干された衣類が乾燥したと判断すると、その乾燥範囲Ｓ３を除くように、送風範囲Ｓ１’に変更する。
【００５３】
さらに、衣類が上下２段に干されている場合や、１段でも高低差が大きい場合には、第１ルーバー駆動モータ３０を動作させることにより、送風高度を変更する。そして、第１センサ駆動モータ３７も同期して動作させることにより、検出高度を変更。なお、この垂直方向の高度変更は、水平方向の全体が乾燥したと判断した後に行ってもよいうえ、水平方向に１往復すると変更するように構成してもよい。
【００５４】
このように、本実施形態の除湿機では、吹出口１４での処理空気の温度Ｔｏと機内外の諸条件（Ｔｉ，α）に基づいて、処理空気によって検出対象物である衣類に加えることが可能な温度を推定し、その推定温度Ｔｎと赤外線センサ３３による検出温度Ｔｃとに基づいて衣類の乾燥度合いを判断するため、室内環境の変化に十分に対応できる。そのため、衣類の実際の乾燥度合いを正確かつ迅速に判断することができ、実際には乾燥しているにも拘わらず判断できず、運転を継続するという不都合を防止できる。
【００５５】
特に、温度Ｔｎを推定するための諸条件として、室内空気循環ファン２３による送風量を含む構成としている。しかも、室温と略同等な吸込口１３での検出温度Ｔｉを、温度Ｔｎを推定するための諸条件として含む構成としている。そのため、衣類に加えることが可能な温度を正確に推定できる。
【００５６】
また、衣類の乾燥度合いの判断条件として、推定温度Ｔｎに、吸込口用サーミスタ４８による検出温度Ｔｉ、および、衣類に処理空気を吹き付けた後に赤外線センサ３３によって検出するまでの時間に対応する係数βを判断条件として含む構成とし、赤外線センサ３３による検出温度Ｔｃと比較することにより判断するようにしているため、衣類の検出対象物の乾燥度合いを正確に判断できる。
【００５７】
さらに、赤外線センサ３３による検出方向を、処理空気の送風方向に対して所定の位相角度を保つように同期させて変更する構成としているため、処理空気の熱で赤外線センサ３３による検出温度に影響が及ぶことを抑制できる。しかも、赤外線センサ３３による検出範囲内において、検出対象物が乾燥していると判断できる領域（範囲Ｓ２）の送風変位速度を、乾燥していないと判断できる領域の送風変位速度より早くしているため、全ての衣類を乾燥させる効率を向上できる。
【００５８】
なお、本発明の除湿機は、前記実施形態の構成に限定されるものではなく、種々の変更が可能である。
【００５９】
例えば、前記実施形態では、赤外線センサ３３を一対のセンサ駆動モータ３７，４１によって垂直および水平方向に回転移動可能な赤外線ユニットとして配設したが、例えば第１ルーバー２９に赤外線センサ３３を配設することにより、垂直方向に回動させるための第１ルーバー駆動モータ３０を兼用し、第１センサ駆動モータ３７を搭載しない構成としてもよい。また、垂直方向検出を不要とする場合、第２ルーバー３１に赤外線センサ３３を配設することにより、赤外線センサ３３を回動させるための専用のモータを搭載しない構成としてもよい。このようにすれば、部品点数を削減できるため、コストダウンを図ることができる。
【００６０】
また、前記実施形態では、衣類が干されている範囲Ｓ１において、端に位置する領域に干された衣類が乾燥したと判断すると、その乾燥範囲Ｓ３を除くように、送風範囲Ｓ１’を変更する構成としたが、中間領域の乾燥範囲Ｓ２と同様に、変位速度を速めて除湿する構成としてもよい。
【００６２】
さらにまた、前記実施形態では、衣類の判断条件として、吸込口１３での検出温度Ｔｉ、および、赤外線センサ３３によって検出するまでの時間に対応する係数βを含む構成としたが、いずれか一方のみを判断条件として加えてもよいうえ、他の要因を判断条件として加えることも可能である。
【図面の簡単な説明】
【００６３】
【図１】本発明の実施形態に係る除湿機を示す概略図である。
【図２】除湿機の構成を示すブロック図である。
【図３】図１の除湿機の構成を示し、（Ａ）は平面図、（Ｂ）は一部の正面図、（Ｃ）は（Ｂ）の要部断面図、（Ｄ）は（Ｂ）の他の要部断面図である。
【図４】赤外線ユニットを示し、（Ａ）は平面図、（Ｂ）は断面図、（Ｃ）は他の断面図である。
【図５】除湿機による送風および検出範囲を示す概略図である。
【図６】赤外線センサによる範囲検出の一工程を示す概略図である。
【図７】赤外線センサによる範囲検出の他の一工程を示す概略図である。
【図８】範囲検出後の送風および検出範囲を示す概略図である。
【図９】衣類乾燥モードの実行状態を示す概略図である。
【図１０】衣類乾燥モードでの制御を説明するための概略図である。
【符号の説明】
【００６４】
１０…ハウジング
１１…除湿通路
１２…再生通路
１３…吸込口
１４…吹出口
１７…加熱ヒータ（除湿手段）
１９…除湿ロータ（除湿手段）
２１…熱交換器（除湿手段）
２２…再生空気循環ファン（除湿手段）
２３…室内空気循環ファン（送風手段）
２９…第１ルーバー（風向変更手段）
３１…第２ルーバー（風向変更手段）
３３…赤外線センサ
３４…ケーシング（検出位置変更手段）
３７…第１センサ駆動モータ（検出位置変更手段）
３９…内部ケース（検出位置変更手段）
４１…第２センサ駆動モータ（検出位置変更手段）
４５…マイコン（制御手段）
４７…吹出口用サーミスタ
４８…吸込口用サーミスタ
【図１】
0005243005.tif 000002
【図２】
0005243005.tif 000003
【図３】
0005243005.tif 000004
【図４】
0005243005.tif 000005
【図５】
0005243005.tif 000006
【図６】
0005243005.tif 000007
【図７】
0005243005.tif 000008
【図８】
0005243005.tif 000009
【図９】
0005243005.tif 000010
【図１０】
0005243005.tif 000011